(57)【要約】【課題】  光ファイバ相互を突き合わせ接続する際に、突き合わせた光ファイバ相互を接着剤が硬化するまで位置決めして固定できる光ファイバ接続部品を得る。【解決手段】  一直線に貫通する貫通孔１２の両端から一対の光ファイバ１０２を挿入することによって、それぞれの光ファイバ１０２の先端同士を突き合わせた状態にする光接続器本体１１と、この光接続器本体１１内で先端同士が突き合された各光ファイバ１０２を動かないように把持するファイバ把持機構３１とを備える。【選択図】        図１
2006163087.tif 000002
【特許請求の範囲】
【請求項１】
単心または多心の光ファイバ心線の光ファイバ同士を接続する光ファイバ接続部品であって、
一端から他端に貫通する貫通孔を備えて、互いに接続すべき一対の光ファイバを前記貫通孔の両端から挿入することによって、それぞれの光ファイバの先端同士が同心に突き合わせられた状態を得る光接続器本体と、
この光接続器本体に挿入された各光ファイバを、前記貫通孔内で互いに先端を突き合わせた状態で把持するファイバ把持機構と、
を備えたことを特徴とする光ファイバ接続部品。
【請求項２】
前記ファイバ把持機構は、前記貫通孔に挿入された光ファイバ心線の下面を支える基板と、この基板に開閉可能に結合されて閉じた時に前記光ファイバ心線の上面を押圧固定する蓋部材と、前記蓋部材を閉じた状態にした時に閉じた状態に保持する係合手段とを備えたことを特徴とする請求項１に記載の光ファイバ接続部品。
【請求項３】
前記蓋部材と前記基板が折り曲げ可能に一体に形成されていることを特徴とする請求項２に記載の光ファイバ接続部品。
【請求項４】
前記蓋部材と前記基板とは、蝶番を介して結合されていることを特徴とする請求項２に記載の光ファイバ接続部品。
【請求項５】
前記係合手段が、少なくとも前記蓋部材によって押さえる光ファイバ心線の左右両側に１組ずつ以上装備されていることを特徴とする請求項２乃至４のいずれか一項に記載の光ファイバ接続部品。
【請求項６】
前記蓋部材の開閉方向が、該蓋部材の押さえる光ファイバ心線の軸線を含んで前記基板上面に直交する方向であり、前記蓋部材の光ファイバ心線に接触する面には、光ファイバ心線に外接して前記貫通孔内に送り込む方向の加圧力を作用させる加圧突起を設けたことを特徴とする請求項３乃至５のいずれか一項に記載の光ファイバ接続部品。
【請求項７】
前記光接続器本体及び基板及び蓋部材の材質が、ポリエーテルイミドであることを特徴とする請求項２乃至６のいずれか一項に記載の光ファイバ接続部品。
【請求項８】
光ファイバを貫通孔に挿入する工程と、前記貫通孔に挿入した前記光ファイバをファイバ把持部材で把持する工程と、前記貫通孔に接着剤を注入する工程と、前記接着剤を硬化し前記光ファイバを接着固定する工程とを有する光接続部品の組立方法。
【発明の詳細な説明】
【技術分野】
【０００１】
本発明は、単心または多心の光ファイバ心線の光ファイバ同士を互いの先端を突き合わせた状態に位置決めして接続する光ファイバ接続部品に関する。
【背景技術】
【０００２】
近年の情報通信トラフィックの増大と並行して、ルーターやクロージャ内においてはもとより、今後発展が予測される家庭用情報機器内においても大容量伝送の必要性が議論されており、多心の光ファイバ心線を用いた並列光インターコネクションの重要性が増している。そして、並列光インターコネクションにおいては、基板上で光ファイバ心線の余長を処理して多心の光ファイバ心線同士を接続する状況が頻繁に起こるため、簡単な組立工具を用いた簡易接続技術が求められている。
【０００３】
従来、図９に示す光ファイバ接続部品が提案されている。
ここに示した光ファイバ接続部品６０は、光ファイバ心線６１，６２の、予め先端の被覆６１ａ，６２ａを剥いで露出させた光ファイバ６１ｂ，６２ｂ同士を突き合わせて接続するもので、光ファイバ６１ｂ，６２ｂの先端同士を心出しして突き合わせるための金属製の接続スリーブ６４と、この接続スリーブ６４内に注入されて、両光ファイバ６１ｂ，６２ｂを一体的に接合する接着剤６６とから構成される（例えば、特許文献１参照）。
【０００４】
接続スリーブ６４は、光ファイバ６１ｂ，６２ｂの外径よりも僅かに大きな内径を有した金属管の両端部を拡径することで、被覆６１ａ，６２ａを付けたままの光ファイバ心線６１，６２が挿入可能な心線収容部６４ａを両端に形成している。
また、接続スリーブ６４は、突き合わせ部６５近傍の周壁に、突き合わせ状態の確認を行うための窓部としての機能と、接着剤６６を注入する注入口としての機能とを発揮するスリット６８が装備されている。
【０００５】
光ファイバ接続部品６０を用いた光ファイバ接続法は、一対の光ファイバ心線６１，６２の先端部の被覆６１ａ，６２ａを剥ぐ工程と、接続スリーブ６４内に光ファイバ心線６１，６２を挿入して光ファイバ６１ｂ，６２ｂの先端同士を突き合わせる工程と、光ファイバ６１ｂ，６２ｂ相互の突き合わせ部６５に接着剤６６を注入する工程とを実施して達成され、少ない部品、少ない工程で、光ファイバの接続部を形成することができる。
【０００６】
【特許文献１】特開２００４−１２６３０６号公報
【発明の開示】
【発明が解決しようとする課題】
【０００７】
ところが、前述した光ファイバ接続部品６０では、接続スリーブ６４に挿入する光ファイバ心線６１，６２は、突き合わせ部６５に注入した接着剤６６が硬化して光ファイバ６１ｂ，６２ｂ相互が完全に接合するまで、突き合わせ部６５が動いて光ファイバ６１ｂ，６２ｂの先端面が離間しないように、作業者が手指等で光ファイバ心線６１，６２を把持しておかねばならず、この光ファイバ心線６１，６２の把持のために、作業性が悪いという問題があった。
しかも、光ファイバ心線６１，６２を固定する把持力が低下するだけでも、光ファイバ６１ｂ，６２ｂ相互の先端面が離間して、接続不良を招く虞があった。
【０００８】
また、上記した金属管を利用する従来の光ファイバ接続部品６０は、単心の光ファイバ心線同士を突き合わせ接続することを前提としたもので、多心光ファイバテープ心線相互の接続には、適用し難いという問題があった。
【０００９】
本発明の目的は、光ファイバ相互を突き合わせ接続する際に、突き合わせた光ファイバ相互を接着剤が硬化するまでの間、作業者が手指等で押さえ続けるような不便がなく、少ない部品、少ない工程で、作業性良く光ファイバの接続部を形成することができる光ファイバ接続部品を提供することにある。
【課題を解決するための手段】
【００１０】
上記目的を達成するために、本発明に係る請求項１記載の光ファイバ接続部品は、単心または多心の光ファイバ心線の光ファイバ同士を接続する光ファイバ接続部品であって、一端から他端に貫通する貫通孔を備えて、互いに接続すべき一対の光ファイバを前記貫通孔の両端から挿入することによって、それぞれの光ファイバの先端同士が同心に突き合わせられた状態を得る光接続器本体と、この光接続器本体に挿入された各光ファイバを、前記貫通孔内で互いに先端を突き合わせた状態で把持するファイバ把持機構と、を備えたことを特徴とする。
【００１１】
本発明に係る請求項２記載の光ファイバ接続部品は、請求項１に記載の光ファイバ接続部品において、前記ファイバ把持機構は、前記貫通孔に挿入された光ファイバ心線の下面を支える基板と、この基板に開閉可能に結合されて閉じた時に前記光ファイバ心線の上面を押圧固定する蓋部材と、前記蓋部材を閉じた状態にした時に閉じた状態に保持する係合手段とを備えたことを特徴とする。
【００１２】
本発明に係る請求項３に記載の光ファイバ接続部品は、請求項２に記載の光ファイバ接続部品において、前記蓋部材と前記基板が折り曲げ可能に一体に形成されていることを特徴とする。
【００１３】
本発明に係る請求項４記載の光ファイバ接続部品は、請求項２に記載の光ファイバ接続部品において、前記蓋部材と前記基板とは、蝶番を介して結合されていることを特徴とする。
【００１４】
本発明に係る請求項５記載の光ファイバ接続部品は、請求項２乃至４のいずれか一項に記載の光ファイバ接続部品において、前記係合手段が、少なくとも前記蓋部材によって押さえる光ファイバ心線の左右両側に１組ずつ以上装備されていることを特徴とする。
【００１５】
本発明に係る請求項６記載の光ファイバ接続部品は、請求項３乃至５のいずれか一項に記載の光ファイバ接続部品において、前記蓋部材の開閉方向が、該蓋部材の押さえる光ファイバ心線の軸線を含んで前記基板上面に直交する方向であり、前記蓋部材の光ファイバ心線に接触する面には、光ファイバ心線に外接して前記貫通孔内に送り込む方向の加圧力を作用させる加圧突起を設けたことを特徴とする。
【００１６】
本発明に係る請求項７記載の光ファイバ接続部品は、請求項２乃至６のいずれか一項に記載の光ファイバ接続部品において、前記光接続器本体及び基板及び蓋部材の材質が、ポリエーテルイミドであることを特徴とする。
【００１７】
本発明に係る請求項８記載の光ファイバ接続部品の組立方法は、光ファイバを貫通孔に挿入する工程と、前記貫通孔に挿入した前記光ファイバをファイバ把持部材で把持する工程と、前記貫通孔に接着剤を注入する工程と、前記接着剤を硬化し前記光ファイバを接着固定する工程とを有する。
【発明の効果】
【００１８】
請求項１記載の光ファイバ接続部品によれば、光ファイバの先端を突き合わせた光ファイバ心線相互は、ファイバ把持機構によって把持させることで、光ファイバの先端同士を突き合わせた状態に固定することができる。そのため、突き合わせた光ファイバ相互を接着剤が硬化するまで作業者が手指等で押さえ続けるような不便がなく、少ない部品、少ない工程で、作業性良く光ファイバの接続部を形成することができる。
また、把持力の低下により、光ファイバ相互の突き合わせ部が動いて突き合わせた先端が離間することがなくなるため、接続不良の発生を防止することもできる。
また、光接続器本体は、光ファイバテープ心線におけるファイバ配列ピッチで、光ファイバが挿入される貫通孔を複数形成しておくことで、光ファイバテープ心線同士を接続する場合にも適用でき、並列光インターコネクションを、低コストで、且つ、容易に構築することができる。
【発明を実施するための最良の形態】
【００１９】
以下、本発明に係る光ファイバ接続部品の好適な実施の形態について、図面を参照して詳細に説明する。
図１〜図７は本発明に係る光ファイバ接続部品の一実施の形態を示したもので、図１は本発明に係る光ファイバ接続部品の一実施の形態の斜視図、図２は図１に示した光ファイバ接続部品の縦断面図、図３は図２に示した光接続器本体のIII−III線に沿う断面図、図４は図２に示した光接続器本体のIV−IV線に沿う断面図、図５は図２に示した光接続器本体のＶ矢視図、図６は図１に示したファイバ把持機構の動作を示す概略図、図７は図１に示した光ファイバ接続部品に光ファイバ心線を把持させた状態の縦断面図である。
【００２０】
この一実施の形態の光ファイバ接続部品１０は、図１に示すように、互いに端部を対向させて配置した一対の多心光ファイバテープ心線１００Ａ，１００Ｂの先端同士を突き合わせ状態に位置決めして接続するためのものであり、射出成形による樹脂の一体成形品からなる光接続器本体１１と、この光接続器本体１１の内部に注入し硬化される屈折率整合剤を兼ねた不図示の接着剤と、光接続器本体１１に挿入された各光ファイバテープ心線１００Ａ，１００Ｂを把持するファイバ把持機構３１とから構成される。
【００２１】
一対の多心光ファイバテープ心線１００Ａ、１００Ｂは、図１に示すように、接続すべき先端部分の所定長さの範囲で被覆１０１を除去し、先端部に光ファイバ１０２を露出させておく。
【００２２】
本実施の形態の場合、光接続器本体１１は、耐熱性に優れたポリエーテルイミド（ＰＥＩ）の射出成形によって一体形成されている。
この光接続器本体１１は、図２に示すように、光接続器本体１１の一端側から他端側に一直線に貫通する多数の貫通孔１２が設けられている。図１の矢印（イ）は、貫通孔１２の貫通方向を示している。貫通孔１２は、図３及び図４に示すように、隣接するもの同士の間に間隔をあけて所定ピッチ（光ファイバの配置ピッチと等しいピッチ）で複数並列に形成されている。各貫通孔１２の軸線方向の中央部には、接着剤が内部に充填されると共に、接続すべき光ファイバ１０２同士が貫通孔１２の一端側及び他端側より挿入されたとき光ファイバ１０２の先端同士を対向させて位置決めする細孔部１２ｄが設けられている。
【００２３】
また、細孔部１２ｄの軸線方向両外側には、各光ファイバ１０２を細孔部１２ｄに誘導する案内孔部１２ｂが設けられ、各案内孔部１２ｂの更に外側には、被覆１０１付きのままの光ファイバテープ心線１００Ａ、１００Ｂを収容するための心線収容部１２ａが設けられている。
心線収容部１２ａは、多心光ファイバテープ心線１００Ａ、１００Ｂを被覆１０１の付いた状態のまま収容する部分であるため、全部の貫通孔１２を含む断面矩形状または断面長孔状の空間として形成されており、光接続器本体１１の一端面１１Ａ及び他端面１１Ｂに開口した挿入口に臨んでいる。
【００２４】
なお、各光ファイバ１０２の径を１２５μｍとすると、細孔部１２ｄはそれより僅かに大きな径の円孔として形成されている。また、案内孔部１２ｂの径は０．２ｍｍ程度に形成されている。
【００２５】
また、案内孔部１２ｂの細孔部１２ｄ側には、心線収容部１２ａ側から細孔部１２ｄに向けて縮径するテーパ部１２ｃが設けられている。
光接続器本体１１の上面１１Ｃには、外部から接着剤を全貫通孔１２の細孔部１２ｄ内に注入するための注入用窓穴１３が設けられている。
注入用窓穴１３は、貫通孔１２の案内孔部１２ｂから心線収容部１２ａにかけての範囲に臨んで矩形状に開口している。このように、案内孔部１２ｂが注入用窓穴１３内に臨んでいることにより、案内孔部１２ｂの後半部（心線収容部１２ａ寄りの部分）は、図５に示すように、上面が開放した半円溝１２ｅとなっている。なお、注入用窓穴１３は、両側の案内孔部１２ｂから心線収容部１２ａにかけての部分に対応して２個設けられている。
【００２６】
また、光接続器本体１１の上面１１Ｃには、注入用窓穴１３から注入される接着剤の細孔部１２ｄ内への充填状態を確認するための確認用窓穴１４が設けられている。
この確認用窓穴１４は、光ファイバ１０２の先端同士が突き合される細孔部１２ｄの略中央位置において、上面１１Ｃから交差するように開口している。
【００２７】
ファイバ把持機構３１は、図２に示すように、光接続器本体１１の下面に組み付けられる基板３３と、この基板３３に開閉可能に装備される蓋部材３５と、蓋部材３５を閉じた状態にした時に蓋部材３５を閉じ状態に保持する係合手段３８とを具備した構成である。
基板３３は、光接続器本体１１の底部が嵌合する凹部３６と、光接続器本体１１の貫通孔１２に挿入された光ファイバテープ心線１００Ａ、１００Ｂの下面を支える心線支持面３７とを備えている。
【００２８】
蓋部材３５は、基板３３の両端に装備されていて、閉じた時に心線支持面３７上の光ファイバテープ心線１００Ａ、１００Ｂを基板３３に押圧して光ファイバテープ心線１００Ａ、１００Ｂを固定する。
係合手段３８は、先端に弾性係止爪３５１を装備して蓋部材３５に形成された係合部３５ａと、基板３３に装備した係止部３３ａ（図１参照）とで構成され、、図６にも示すように、蓋部材３５を閉じた状態にした時に係合部３５ａの弾性係止爪３５１を係止部３３ａに係合させて、蓋部材３５を閉じた状態に保持できる。
【００２９】
本実施の形態の場合、係合部３５ａは、少なくとも、蓋部材３５によって押さえる光ファイバテープ心線１００Ａ、１００Ｂの左右両側に１組ずつ以上装備されている
【００３０】
また、本実施の形態の場合、蓋部材３５の開閉方向は、蓋部材３５が押さえる光ファイバテープ心線１００Ａ、１００Ｂの軸線を含んで基板３３上面に直交する方向であり、図６に示すように、蓋部材３５の光ファイバテープ心線１００Ａ、１００Ｂに接触する面には、光ファイバテープ心線１００Ａ、１００Ｂの上面に外接して光ファイバテープ心線１００Ａ、１００Ｂを貫通孔１２内に送り込む方向（図６の矢印ロ方向）の加圧力を作用させる加圧突起３５ｅを設けている。
【００３１】
また、本実施の形態の場合、蓋部材３５を基板３３に開閉可能に結合する機構は、図６に示すように、蓋部材３５の両側から延出するアーム部３５ｃに一体形成された軸受部３５ｄと、この軸受部３５ｄに嵌合するように基板３３の側面に一体形成された軸部３３ｃとで構成される。
【００３２】
ファイバ把持機構３１を構成する基板３３及び蓋部材３５は、光接続器本体１１の場合と同様に、耐熱性に優れたポリエーテルイミド（ＰＥＩ）の射出成形によって一体形成されている。
【００３３】
次に、この光接続器本体１１及びファイバ把持機構３１よりなる光ファイバ接続部品１０を用いて、一対の光ファイバテープ心線１００Ａ、１００Ｂの各対応する光ファイバ１０２同士を接続する方法について説明する。
まず、光接続器本体１１の一方の注入用窓穴１３から屈折率整合剤を兼ねる接着剤を注入し、接着剤を注入した窓穴１３側を上にして、光接続器本体１１を傾けることにより、各貫通孔１２の細孔部１２ｄ内に接着剤を流れ込ませる。そして、確認用窓穴１４から接着剤が流れてくるのを目視で確認することで、各細孔部１２ｄへの接着剤の充填状態を確認する。
【００３４】
次に、光接続器本体１１をファイバ把持機構３１における基板３３の所定位置にセットし、ファイバ把持機構３１の蓋部材３５を開いた状態にして、光接続器本体１１の各貫通孔１２の両側からそれぞれ、被覆を除去した各光ファイバ１０２を細孔部１２ｄ内へそれぞれ挿入して先端を対向させる。同時に、心線収容部１２ａ内に被覆の付いたままの光ファイバテープ心線１００Ａ、１００Ｂを収容する。
【００３５】
この光ファイバ１０２の挿入の際に、案内孔部１２ｂの奥にあるテーパ部１２ｃの案内作用により、スムーズに光ファイバ１０２の先端を細孔部１２ｄ内に挿入することができる。また、各光ファイバ１０２の挿入状態は、注入用窓穴１３や確認用窓穴１４から見て確認することができる。また、各半円溝１２ｅに沿って光ファイバ１０２を挿入するので、挿入しやすい。
【００３６】
光ファイバ１０２及び光ファイバテープ心線１００Ａ、１００Ｂの挿入が済んだら、図７の右半分に示すように、蓋部材３５を閉じた状態にして、光ファイバテープ心線１００Ａ、１００Ｂが動かないように把持し、その状態で接着剤を硬化させることにより、光ファイバ１０２及び光ファイバテープ心線１００Ａ、１００Ｂを光接続器本体１１に接着固定する。以上により光ファイバ接続部品１０を用いた光ファイバの接続が完了する。
【００３７】
なお、上記の実施の形態では、光ファイバ接続部品１０は、接続完了後もそのまま光接続器本体１１に取り付けられた状態になされるものであるが、取外可能に形成して、再度使用できるようにしても良い。
【００３８】
以上に説明した光ファイバ接続部品１０によれば、光ファイバ相互を突き合わせて接続する際に、光接続器本体１１の両端から貫通孔１２に挿入して、光ファイバの先端を突き合わせた光ファイバテープ心線１００Ａ、１００Ｂ相互は、ファイバ把持機構３１によって把持させることで、光ファイバ１０２の先端同士を突き合わせた状態に固定することができる。そのため、突き合わせた光ファイバ１０２相互を接着剤が硬化するまで作業者が手指等で押さえ続けるような不便がなくなり、少ない部品、少ない工程で、作業性良く光ファイバ１０２の接続部を形成することができる。
【００３９】
また、突き合わせた光ファイバ１０２相互を接着する接着剤が硬化するまで、光ファイバ１０２が動いて突き合わせた先端が離間することがなくなるため、接続不良の発生を防止することもできる。
【００４０】
また、光接続器本体１１は、光ファイバテープ心線におけるファイバ配列ピッチで、光ファイバ１０２が挿入される貫通孔１２を複数形成しておくことで、光ファイバテープ心線同士を接続する場合にも適用でき、並列光インターコネクションを、低コストで、且つ、容易に構築することができる。
【００４１】
また上記の光ファイバ接続部品１０によれば、ファイバ把持機構３１が、基板３３に開閉可能に装備された蓋部材３５を閉じる操作だけで簡単に光ファイバテープ心線１００Ａ、１００Ｂを把持できるため、光ファイバ１０２相互を突き合わせ接続する際の組み立て作業性がよく、生産性を向上させることができる。
【００４２】
また、上記の光ファイバ接続部品１０によれば、蓋部材３５を基板３３に結合する機構が、基板３３及び蓋部材３５に一体形成されたセルフヒンジとしたので、光ファイバ接続部品１０における組み立て部品の増加を招かない。即ち、光ファイバ接続部品１０の構成する部品を、射出成形で形成する場合、成形部品点数の増加を抑えて、部品成形費用を安価に抑えることができるだけでなく、光ファイバ接続部品１０の組み立て工程を単純にすることができる。
【００４３】
また、上記の光ファイバ接続部品１０によれば、蓋部材３５は、係合手段３８によって、光ファイバテープ心線１００Ａ、１００Ｂの左右両側で基板３３に結合されるため、光ファイバテープ心線１００Ａ、１００Ｂを安定した押さえ力でしっかりと固定することができる。
【００４４】
また、上記の光ファイバ接続部品１０によれば、光接続器本体１１の貫通孔１２に挿入した光ファイバテープ心線１００Ａ、１００Ｂを蓋部材３５によって把持する際、蓋部材３５に装備した加圧突起３５ｅによって光ファイバテープ心線１００Ａ、１００Ｂが貫通孔１２内に送り込まれる方向に付勢されて、突き合わせ部における光ファイバ１０２相互の突き合わせ力が増大する方向に加圧されるため、光ファイバ１０２同士の突き合わせ部が離間するような不都合の発生を確実に防止でき、光ファイバ１０２相互の接続を安定させることができる。
【００４５】
特に、ファイバ把持機構３１は、蓋部材３５を閉じて蓋部材３５と基板３３との間に光ファイバテープ心線１００Ａ、１００Ｂの各光ファイバ１０２を一括して把持しているので、多心ファイバの各光ファイバ１０２間に多少の長さの不揃いが有った場合においても、各光ファイバ１０２間に軸線方向の長さズレを生じさせずに保持できて、好適である。
【００４６】
また、上記の光ファイバ接続部品１０によれば、ポリエーテルイミドが優れた耐熱性を持つため、高温に晒されても光接続器本体１１やファイバ把持機構３１に変形が生じることがなく、安定したファイバ固定状態を維持できる。
【００４７】
なお、本発明の光ファイバ接続部品１０において、蓋部材３５を基板３３に開閉可能に結合する機構は、上記実施の形態に限らない。
例えば、図８に示すように、蓋部材３５の開閉方向を、蓋部材３５が押さえる光ファイバ心線１００Ａ（１００Ｂ）の軸線方向として、軸線に沿う基板３３の側面に連接されて基板３３と蓋部材３５を一体に結合する構成のセルフヒンジ４０とすることもできる。なお、図中、（ａ）は蓋部材３５を開放した状態、（ｂ）は蓋部材３５を閉じた状態をそれぞれ示す。また、光接続器本体（図１の符号１１参照）は図面を簡明にするために省略してある。
また、蓋部材３５を基板３３に開閉可能に結合する機構が、蓋部材３５及び基板３３とは別体の蝶番であっても良い。
蓋部材３５及び基板３３とは別体の蝶番は、セルフヒンジとは異なり、基板３３や蓋部材３５よりも耐熱性の高い別の材料で形成でき、例えば、光ファイバ１０２相互の突き合わせ部を接着固定する接着剤に、高温加熱により短時間で硬化する熱硬化性の接着剤を使用して、光ファイバ１０２相互の接続処理時間を短縮することができる。
【００４８】
また、上記実施形態では、多心光ファイバテープ心線の光ファイバ同士を接続する場合の例について説明したが、単心光ファイバ心線の光ファイバを接続する場合にも本発明は適用できる。
【図面の簡単な説明】
【００４９】
【図１】本発明に係る光ファイバ接続部品の一実施の形態の斜視図である。
【図２】図１に示した光ファイバ接続部品の縦断面図である。
【図３】図２に示した光接続器本体のIII−III線に沿う断面図である。
【図４】図２に示した光接続器本体のIV−IV線に沿う断面図である。
【図５】図２に示した光接続器本体のＶ矢視図である。
【図６】図１に示したファイバ把持機構の動作を示す概略図である。
【図７】図１に示した光ファイバ接続部品に光ファイバ心線を把持させた状態の縦断面図である。
【図８】セルフヒンジの例を説明する図で、（ａ）は蓋部材を開放した状態、（ｂ）は蓋部材を閉じた状態を示す。
【図９】従来の光ファイバ接続部品の縦断面図である。
【符号の説明】
【００５０】
１０  光ファイバ接続部品
１１  光接続器本体
１２  貫通孔
１２ａ  心線収容部
１２ｂ  案内孔部
１２ｃ  テーパ部
１２ｄ  細孔部
１３  注入用窓穴
１４  確認用窓穴
３１  ファイバ把持機構
３３  基板
３３ａ  係止部（係合手段）
３３ｃ  軸部
３５  蓋部材
３５ａ  係合部（係合手段）
３５ｂ  係止突起
３５ｄ  軸受部
３５ｅ  加圧突起
３６  凹部
３８  係合手段
４０  セルフヒンジ
１００Ａ，１００Ｂ  光ファイバテープ心線（光ファイバ心線）
１０１  被覆
１０２  光ファイバ
【図１】
2006163087.tif 000003
【図２】
2006163087.tif 000004
【図３】
2006163087.tif 000005
【図４】
2006163087.tif 000006
【図５】
2006163087.tif 000007
【図６】
2006163087.tif 000008
【図７】
2006163087.tif 000009
【図８】
2006163087.tif 000010
【図９】
2006163087.tif 000011